(57)【要約】【課題】鼻毛を量や長さに関係なく確実にかつ容易に切除することができる鼻毛用剃刀を提供する。【解決手段】鼻毛用剃刀１０は、柄部１２側に刃先２６を向けて刃装着部に装着された環状の刃１８を備えている。刃１８は、柄部１２側に向けて径が拡大する外形を備え、固定具２０によって刃装着部に固定され、刃先２６が刃装着部から柄部１２側に突出している。【選択図】図１
2012085704.tif 000002
【特許請求の範囲】
【請求項１】
柄部と、前記柄部と連結された刃装着部と、前記柄部側に刃先を向けて装着された環状の刃を備えた、鼻毛用剃刀。
【請求項２】
前記刃が、前記柄部側に向けて径が拡大する外形を備えた、請求項１に記載の鼻毛用剃刀。
【請求項３】
前記刃装着部は、底部が前記柄部側に向いた略円錐の外形を備え、
前記刃は、前記刃装着部の外周面と係合する内周面を備え、
前記刃の内周面と前記刃装着部の外周面が接合した状態において、前記刃先が前記底部より前記柄部側に突出している、請求項２に記載の鼻毛用剃刀。
【請求項４】
前記刃の外周面および前記刃装着部の上端部と係合する外形の凹部を備え、前記刃を前記刃装着部に装着した後に、前記刃の前記刃先以外の外周面および前記刃装着部の上端部を前記凹部で覆うことにより、前記刃と前記刃装着部を固定する固定具を備えた、請求項３に記載の鼻毛用剃刀。
【発明の詳細な説明】
【技術分野】
【０００１】
本発明は、鼻毛を確実に切除するための鼻毛用剃刀に関する。
【背景技術】
【０００２】
従来、伸びた鼻毛は、毛抜きなどを用いて抜くか、鋏を用いて切るか、鼻毛用剃刀や鼻毛用シェーバーを用いて剃るかの何れかの方法で処理されてきた。このうち抜いて処理する方法は、毛穴から細菌が侵入して脳炎などの重篤な症状を引き起こす可能性が指摘されている。また一度に多量の鼻毛を処理することができないので、処理に時間がかかるという欠点がある。このような欠点は鋏を用いれば克服できるが、今度は刃先で鼻腔を挟んで傷つけるおそれが生じる。鼻毛用剃刀および鼻毛用シェーバーは、鼻毛処理専用の器具として開発されたものであり、安全かつ迅速に鼻毛を処理するための工夫がなされている（特許文献１、２参照）。
【先行技術文献】
【特許文献】
【０００３】
【特許文献１】特開２００９−５９１２号公報
【特許文献２】特開２００６−１６７２６０号公報
【発明の概要】
【発明が解決しようとする課題】
【０００４】
特許文献１に開示された鼻毛用剃刀は、鼻腔を傷つけないように、刃先が連続して露出しないようにカバーで覆われている。しかし鼻腔内は直接目視することができないので、露出した刃先を鼻毛に確実に当てることは難しく、剃り残しが生じやすいという欠点がある。またカバーの厚みの分だけは剃り残しが生じるため、深剃りができないという構造上の問題もある。
【０００５】
特許文献２に開示された鼻毛用シェーバーは、外刃と内刃からなり、外刃に設けられた孔またはメッシュを通過した鼻毛を回転式の内刃でカットするというものである。この場合も鼻毛用剃刀と同様に外刃の厚みの分だけは剃り残しが生じるという問題がある。また比較的長い鼻毛などのように孔またはメッシュを通過しない鼻毛はカットできないという問題もある。
【０００６】
本発明は、鼻毛を量や長さに関係なく確実にかつ容易に切除することができる鼻毛用剃刀を提供することを目的とする。
【課題を解決するための手段】
【０００７】
本発明は、第１の態様として、柄部と、前記柄部と連結された刃装着部と、前記柄部側に刃先を向けて装着された環状の刃を備えた、鼻毛用剃刀を提供する。
【０００８】
鼻毛用剃刀は、柄部を手に持って刃を鼻腔内に挿入して使用するものであり、刃先を鼻腔壁に軽く当てながら鼻から遠ざける方向に柄部を動かすだけで鼻毛を根元から簡単に切除することができる。切除された鼻毛は刃先の動きとともに鼻腔の外に運ばれるため、除去が容易であり、誤って気道側に吸い込んでしまうようなことも起こりにくい。また刃先が柄部側に向いているため、刃を鼻腔内に挿入するときに鼻腔壁を傷つけることがない。環状の刃先には、曲面を描く鼻腔壁になじみ易く、また柄部の向きに関わらず刃先の何れかの部分が必ず鼻毛に当たるという利点がある。
【０００９】
本発明は、第２の態様として、前記刃が、前記柄部側に向けて径が拡大する外形を備えた鼻毛用剃刀を提供する。
【００１０】
これにより柄部に対する刃の向きに角度ができるので、鼻腔壁の傾きに対して最適な角度で刃先を当てることができるようになる。
【００１１】
本発明は、第３の態様として、前記刃装着部は、底部が前記柄部側に向いた略円錐の外形を備え、前記刃は、前記刃装着部の外周面と係合する内周面を備え、前記刃の内周面と前記刃装着部の外周面が接合した状態において、前記刃先が前記底部より前記柄部側に突出している鼻毛用剃刀を提供する。
【００１２】
これにより刃は刃装着部に頂点側から被せるだけで簡単に装着することができるようになる。また刃先以外の部分が刃装着部の外周面と広い面積で接合することで刃の取り付けが安定する。
【００１３】
本発明は、第４の態様として、前記刃の外周面および前記刃装着部の上端部と係合する外形の凹部を備え、前記刃を前記刃装着部に装着した後に、前記刃の前記刃先以外の外周面および前記刃装着部の上端部を前記凹部で覆うことにより、前記刃と前記刃装着部を固定する固定具を備えた鼻毛用剃刀を提供する。
【００１４】
これにより鼻毛用剃刀の使用中に刃が外れたりする事故をほぼ確実に防止することができるようになる。
【発明の効果】
【００１５】
本発明によれば、鼻毛を量や長さに関係なく確実かつ容易に切除することができるようになる。鼻毛用剃刀の取り扱いは極めて簡単であるため、男性のみならず女性もお出かけ前の身だしなみの一つとして鼻毛処理を取り入れることができる。
【図面の簡単な説明】
【００１６】
【図１】鼻毛用剃刀の側面図
【図２】刃と刃装着部と固定具の関係を示す側面図
【図３】刃と刃装着部と固定具の関係を示す側断面図
【発明を実施するための形態】
【００１７】
本発明の実施の形態について図面を参照して説明する。鼻毛用剃刀１０は、柄部１２、刃装着部１４、連結部１６、刃１８、固定具２０により構成されている。柄部１２は鼻毛用剃刀１０を使用して鼻毛を切除するときに手に持ち、刃１８の操作を行う部分である。手に馴染みやすく滑りにくいように、全体として丸みを帯びた形状であり粗面加工されている。
【００１８】
刃装着部１４は頂点を欠く略円錐の外形を備えている。頂部２２と底部２４は互いに平行な円形平面をなしている。刃装着部１４は、底部２４および柄部１２の上端部２６と繋がる連結部１６によって柄部１２と連結している。
【００１９】
刃装着部１４には刃１８が装着されている。刃１８は両端が開口した環状の外形を備え、刃先２６に向けて内径が拡大し、内周面が刃装着部１４の外周面と係合するようになっている。刃１８の上部開口の内径ｄ１は刃装着部１４の頂部２２の外径Ｄ１より大きく形成されており、刃装着部１４の頂部２２を含む上端部が刃１８の外側に露出している。刃先２６の部分の内径ｄ２は刃装着部１４の底部２４の外径Ｄ２より大きく形成されており、刃先２６が刃装着部１４の底部２４より柄部１２側に突出している。
【００２０】
固定具２０は頂点を欠く略円錐の外形を備え、刃装着部１４と相似形をなしている。固定具２０は底部が開口されており、内側に刃１８の外周面および刃装着部１４の上端部と係合する外形の凹部を備えている。固定具２０は、刃装着部１４に刃１８を装着した後にこれらを覆うように被せるものであり、固定具２０が刃装着部１４および刃１８が接する箇所は接着剤で固着され、刃装着部１４から刃１８が外れないようになっている。
【００２１】
固定具２０は刃１８を刃装着部１４に固定するためのものであるが、刃１８を刃装着部１４に直接固定するようにした場合は固定具２０の使用を省くこともできる。固定具２０の底部側を長めにして刃先２６の外周を覆うようにすれば、誤って指や鼻などを切る事故を防止することもできるようになる。固定具２０に潤滑剤を添加したり、装着したりすることにより潤滑作用を持たせれば、鼻腔壁に対する摩擦が軽減し、快適な鼻毛処理を実現することができるようになる。
【００２２】
鼻毛用剃刀１０は使い捨て式もしくは刃交換式の何れにも適用が可能である。例えば使い捨て式の場合、柄部１２、刃装着部１４、連結部１６をプラスチックで一体成型すればよい。刃交換式の場合、刃装着部１４のみ、もしくは刃装着部１４と連結部１６を一体として交換できるようにすればよい。
【符号の説明】
【００２３】
１０  鼻毛用剃刀
１２  柄部
１４  刃装着部
１６  連結部
１８  刃
２０  固定具
２２  頂部
２４  底部
２６  刃先
【図１】
2012085704.tif 000003
【図２】
2012085704.tif 000004
【図３】
2012085704.tif 000005